(57)【要約】【課題】縦置き型のディスクドライブ装置であっても、通常の12cm径のディスクに加えて小径（８cm径）のディスクをも利用可能にする。【解決手段】８cm径のディスクを収納するためのアダプタ本体10a と、収納部の一端面からの８cm径のディスクの逸出を防止する逸出防止部材12a, 12b, 12c 、13a, 13b, 13c と、アダプタ本体10a の収納部の他端面がトレイ１の表面に接した状態で、アダプタ本体10a をトレイ１に固定する係合爪11a, 11b, 11c とを有する。縦置き型のディスクドライブ装置であっても、８cm径のディスクが使用可能になる。【選択図】図２
2007280449.tif 000002
【特許請求の範囲】
【請求項１】
大径のディスク状記録媒体をディスク状記録媒体に対する情報の再生及び／又は記録位置へ搬送するトレイに小径のディスク状記録媒体を搬送させるためのディスクアダプタにおいて、
前記小径のディスク状記録媒体を収納するための円筒形状の収納部を有するアダプタ本体と、
前記収納部の一端面からの前記小径のディスク状記録媒体の逸出を防止する逸出防止部材と、
前記収納部の他端面が前記トレイの表面に接した状態で、前記アダプタ本体を前記トレイに装着する装着部材と
を備えたことを特徴とするディスクアダプタ。
【請求項２】
前記収納部は、前記他端面からの前記小径のディスク状記録媒体の逸出を防止する逸出防止部材を更に備えることを特徴とする請求項１に記載のディスクアダプタ。
【請求項３】
前記装着部材は、前記トレイの表面に形成された係合穴に、前記トレイの表面が縦方向である場合に前記トレイの上側から下側へ向けて挿入されることにより係合する係合爪であることを特徴とする請求項１又は２に記載のディスクアダプタ。
【請求項４】
前記アダプタ本体の外形が円筒形状であり、
前記装着部材は、前記アダプタ本体の外周に沿って配置されており、前記トレイの表面に形成された係合穴に、前記アダプタ本体が前記トレイの表面で回転した場合に挿入されることにより係合する係合爪であること
を特徴とする請求項１又は２に記載のディスクアダプタ。
【請求項５】
前記アダプタ本体は、前記トレイに装着された状態で、前記収納部を構成する円筒形状の周面の少なくとも１８０度の範囲を開放することが可能な開閉機構を備えることを特徴とする請求項１乃至４のいずれか一つに記載のディスクアダプタ。
【請求項６】
前記大径は１２ｃｍであり、前記小径は８ｃｍであることを特徴とする請求項１乃至５のいずれか一つに記載のディスクアダプタ。
【請求項７】
大径のディスク状記録媒体をディスク状記録媒体に対する情報の再生及び／又は記録位置へ搬送するトレイを備えたディスクドライブ装置において、
小径のディスク状記録媒体を収納するための円筒形状の収納部を有するアダプタ本体、前記収納部の一端面からの前記小径のディスク状記録媒体の逸出を防止する逸出防止部材、及び前記収納部の他端面が前記トレイの表面に接した状態で、前記アダプタ本体を前記トレイに装着する装着部材を有するディスクアダプタを備え、
前記トレイは、前記装着部材を固定することにより前記ディスクアダプタを装着する固定部を有すること
を特徴とするディスクドライブ装置。
【請求項８】
前記収納部は、前記他端面からの前記小径のディスク状記録媒体の逸出を防止する逸出防止部材を更に備えることを特徴とする請求項７に記載のディスクドライブ装置。
【請求項９】
前記固定部は前記トレイの表面に形成された係合穴であり、
前記装着部材は、前記トレイの表面に形成された係合穴に、前記トレイの表面が縦方向である場合に前記トレイの上側から下側へ向けて挿入されることにより係合する係合爪であることを特徴とする請求項７又は８に記載のディスクドライブ装置。
【請求項１０】
前記アダプタ本体の外形が円筒形状であり、
前記固定部は前記トレイの前記アダプタ本体が載置されるべき位置の外周に沿って配置された係合穴であり、
前記装着部材は、前記アダプタ本体の外周に沿って配置されており、前記アダプタ本体が前記トレイの表面で回転した場合に挿入されることにより前記係合穴に係合する係合爪であること
を特徴とする請求項７又は８に記載のディスクドライブ装置。
【請求項１１】
前記アダプタ本体は、前記トレイに装着された状態で、前記収納部を構成する円筒形状の周面の少なくとも１８０度の範囲を開放することが可能な開閉機構を備えることを特徴とする請求項７乃至１０のいずれか一つに記載のディスクドライブ装置。
【請求項１２】
前記大径は１２ｃｍであり、前記小径は８ｃｍであることを特徴とする請求項７乃至１１のいずれか一つに記載のディスクドライブ装置。
【発明の詳細な説明】
【技術分野】
【０００１】
本発明は、トレイ上に載置されたディスク状の記録媒体を再生及び／又は記録位置まで搬送してデータの再生及び／又は記録を行なうための種々のディスクドライブ装置に関し、またそのようなディスクドライブ装置のトレイにディスク状の記録媒体を装着して使用するためのディスクアダプタに関する。
【背景技術】
【０００２】
ＣＤ（Compact Disk) の実用化以来、ＤＶＤ、ＢＤ（ブルーレイディスク）等の種々のディスク状の記録媒体が開発され、広範囲に実用化されている。これらの記録媒体は一般的には外径が12cmであるが、外径がより小径である８cmのタイプも実用化されている。また、ＣＤ，ＤＶＤ，ＢＤのいずれか二つ、又は全てに対して再生及び／又は記録可能なディスクドライブ装置も実用化されている。
【０００３】
以上のような事情から従来、ディスクドライブ装置のトレイの表面には12cm径と８cm径との双方を載置可能なように二重の凹部が一般的に形成されている。しかしこのような構成では、ディスクを水平な状態で載置するトレイにしか適用できないという問題がある。具体的には、ディスクドライブ装置が縦置き型である場合には、トレイの表面が垂直になるので、12cm径のディスクに関しては簡易な爪状のストッパを設けることによりトレイからの脱落を防止し得るが、８cm径のディスクに関しては12cm径のディスクに支障しないようにストッパを設けることができないので、８cm径のディスクを使用することができない。従って、縦置き型のディスクドライブ装置では従来は12cm径のディスクしか使用できないという問題があった。
【０００４】
しかしながら近年、デジタルビデオカメラ等の記録媒体としてＤＶＤが利用される傾向が強くなっている。このような装置に利用されるＤＶＤは、装置自体の小型化のために８cm径のＤＶＤが多くの場合採用されている。しかし、そのような８cm径のディスクに記録された画像等の情報をたとえばパーソナルコンピュータ等に取り込む場合には、前述したように、縦置き型のディスクドライブ装置では８cm径のディスクを利用することができないため、利用可能なパーソナルコンピュータが限定されるか、または横置き型のディスクドライブ装置を別付けする必要が生じるという問題がある。
【０００５】
一方、以上のような事情とは別に、８cm径のディスクを12cm径専用のトレイで使用可能にするためのディスクアダプタが種々提案されている。たとえば特許文献１に開示されている発明では、ディスクを搬送するトレイ上にアダプタを嵌め込み、小径（８cm径）ディスクをアダプタの中心に形成されたスペースに載置し、小径ディスクの位置ずれの発生を防止する構成を採っている。この構成では、アダプタと係合するためにトレイ上に設けられた部材に特徴がある。また、特許文献２には、トレイの厚みを増加させることなしに取り付けられるディスクアダプタが開示されている。
【特許文献１】特開平９−９１８２２号公報
【特許文献２】実開平７−１０８９３号公報
【発明の開示】
【発明が解決しようとする課題】
【０００６】
ところで、上記の特許文献に記載の技術はいずれも、ディスク状記録媒体を自動的に交換するためのいわゆるオートチェンジャ用のトレイに関する技術である。オートチェンジャ用のトレイは多数を積層して使用することが一般的であるので、小径（８cm径）のディスクはトレイ上に水平な状態で載置されることを前提としている。従って、上記の特許文献に記載の技術ではいずれも、縦置き型のディスクドライブ装置に関しては考慮されておらず、そのような用途には利用できないという問題点がある。
【０００７】
本発明は以上のような事情に鑑みてなされたものであり、縦置き型のディスクドライブ装置であっても、通常の12cm径のディスクに加えて小径（８cm径）のデスクをも利用可能なようにしたディスクアダプタ及びディスクドライブ装置の提供を主たる目的とする。
【課題を解決するための手段】
【０００８】
本発明に係るディスクアダプタは、大径のディスク状記録媒体をディスク状記録媒体に対する情報の再生及び／又は記録位置へ搬送するトレイに小径のディスク状記録媒体を搬送させるためのディスクアダプタにおいて、前記小径のディスク状記録媒体を収納するための円筒形状の収納部を有するアダプタ本体と、前記収納部の一端面からの前記小径のディスク状記録媒体の逸出を防止する逸出防止部材と、前記収納部の他端面が前記トレイの表面に接した状態で、前記アダプタ本体を前記トレイに装着する装着部材とを備えたことを特徴とする。
【０００９】
また本発明に係るディスクドライブ装置は、大径のディスク状記録媒体をディスク状記録媒体に対する情報の再生及び／又は記録位置へ搬送するトレイを備えたディスクドライブ装置において、小径のディスク状記録媒体を収納するための円筒形状の収納部を有するアダプタ本体、前記収納部の一端面からの前記小径のディスク状記録媒体の逸出を防止する逸出防止部材、及び前記収納部の他端面が前記トレイの表面に接した状態で、前記アダプタ本体を前記トレイに装着する装着部材を有するディスクアダプタを備え、前記トレイは、前記装着部材を固定することにより前記ディスクアダプタを装着する固定部を有することを特徴とする。
【００１０】
以上のような本発明のディスクアダプタ及びディスクドライブ装置では、小径のディスク状記録媒体を収納するための円筒形状の収納部を有するアダプタ本体からの小径のディスク状記録媒体の逸出を防止しつつ、アダプタ本体がトレイに装着される。
【００１１】
また本発明に係るディスクアダプタ及びディスクドライブ装置は上記の発明において、前記収納部は、前記他端面からの前記小径のディスク状記録媒体の逸出を防止する逸出防止部材を更に備えることを特徴とする。
【００１２】
以上のような本発明のディスクアダプタ及びディスクドライブ装置では、収納部の他端面からの小径のディスク状記録媒体の逸出も防止される。
【００１３】
また本発明に係るディスクアダプタは上記の発明において、前記装着部材は、前記トレイの表面に形成された係合穴に、前記トレイの表面が縦方向である場合に前記トレイの上側から下側へ向けて挿入されることにより係合する係合爪であることを特徴とする。
ディスクドライブ装置は上記の発明において、前記固定部は前記トレイの表面に形成された係合穴であり、前記装着部材は、前記トレイの表面に形成された係合穴に、前記トレイの表面が縦方向である場合に前記トレイの上側から下側へ向けて挿入されることにより係合する係合爪であることを特徴とする。
【００１４】
以上のような本発明のディスクアダプタ及びディスクドライブ装置では、トレイの表面に形成された係合穴に、トレイの表面が縦方向である場合にトレイの上側から下側へ向けて装着部材である係合爪が挿入されることにより係合する。
【００１５】
また本発明に係るディスクアダプタは上記の発明において、前記アダプタ本体の外形が円筒形状であり、前記装着部材は、前記アダプタ本体の外周に沿って配置されており、前記トレイの表面に形成された係合穴に、前記アダプタ本体が前記トレイの表面で回転した場合に挿入されることにより係合する係合爪であることを特徴とする。
【００１６】
また本発明に係るディスクドライブ装置は上記の発明において、前記アダプタ本体の外形が円筒形状であり、前記固定部は前記トレイの前記アダプタ本体が載置されるべき位置の外周に沿って配置された係合穴であり、前記装着部材は、前記アダプタ本体の外周に沿って配置されており、前記アダプタ本体が前記トレイの表面で回転した場合に挿入されることにより前記係合穴に係合する係合爪であることを特徴とする。
【００１７】
以上のような本発明のディスクアダプタ及びディスクドライブ装置では、トレイのアダプタ本体が載置されるべき位置の外周に沿って配置された固定部である係合穴に、外形が円筒形状であるアダプタ本体の外周に沿って配置されており、トレイの表面上でアダプタ本体が回転させられた場合に装着部材である係合爪が挿入されて係合する。
【００１８】
また本発明に係るディスクアダプタ及びディスクドライブ装置は上記の発明において、前記アダプタ本体は、前記トレイに装着された状態で、前記収納部を構成する円筒形状の周面の少なくとも１８０度の範囲を開放することが可能な開閉機構を備えることを特徴とする。
【００１９】
以上のような本発明のディスクアダプタ及びディスクドライブ装置では、収納部を構成する円筒形状の壁面の少なくとも１８０度の範囲が、ディスクアダプタがトレイに装着された状態で開放可能になる。
【００２０】
また本発明に係るディスクアダプタ及びディスクドライブ装置は上記の発明において、前記大径は１２ｃｍであり、前記小径は８ｃｍであることを特徴とする。
【００２１】
以上のような本発明のディスクアダプタ及びディスクドライブ装置では、通常は１２ｃｍ径のディスク状記録媒体しか使用できない縦置き型のディスクドライブ装置に８ｃｍ径のディスク状記録媒体を収納したディスクアダプタが装着される。
【発明の効果】
【００２２】
本発明のディスクアダプタ及びディスクドライブ装置によれば、小径のディスク状記録媒体をアダプタ本体からの逸出を防止しつつ、アダプタ本体をトレイに装着することが可能になるので、縦置き型のディスクドライブ装置においても小径のディスク状記録媒体を利用することが可能になる。
【００２３】
また本発明のディスクアダプタ及びディスクドライブ装置によれば、アダプタ本体からの小径のディスク状記録媒体の逸出が完全に防止されるので、予め多数のディスクアダプタに小径のディスク状記録媒体を収納しておくことが可能になる。
【００２４】
更に本発明のディスクアダプタ及びディスクドライブ装置によれば、トレイの表面が縦方向である場合にトレイの上側から下側へ向けて装着部材である係合爪が挿入されることにより係合するので、縦置き型のディスクドライブ装置ではディスクアダプタのトレイへの装着状態がより確実に安定化する。
【００２５】
また更に本発明のディスクアダプタ及びディスクドライブ装置によれば、アダプタ本体が回転させられることによりトレイに装着されるので、収納されている小径のディスク状記録媒体の中心の位置決め精度が向上する。
【００２６】
更にまた本発明のディスクアダプタ及びディスクドライブ装置によれば、アダプタ本体がトレイに装着されたままの状態で、ディスク状記録媒体の交換が可能になる。
【００２７】
更にまた本発明のディスクアダプタ及びディスクドライブ装置によれば、従来は８ｃｍ径のディスク状記録媒体を使用することができなかった縦置き型のディスクドライブ装置でも８ｃｍ径のディスク状記録媒体を使用することができるようになる。
【発明を実施するための最良の形態】
【００２８】
以下、本発明をそのいくつかの実施の形態を示す図面を参照して説明する。図１乃至図３は本発明の第１の実施の形態を説明するための図面である。
【００２９】
図１は本発明のディスクアダプタが装着されていないディスクドライブ装置のトレイの表面の状態を示す模式的平面図、図２は本発明に係るディスクアダプタが装着されたディスクドライブ装置のトレイが再生及び／又は記録位置へ搬送された状態を示す模式的平面図及び一部破断側面図である。
【００３０】
トレイ１には、大径（12cm径）のディスクを載置するための円形の凹部３と、小径（８cm径）のディスクを載置するための円形の凹部４とが設けられている。これらの凹部３、４はトレイ１の表面が水平になるような状態である場合にはそのままそれぞれに大径及び小径のディスクを載置することが可能である。一方、トレイ１の表面が水平にはならない状態である場合、特にトレイ１の表面がほぼ垂直な状態であるようなディスクドライブ装置が縦置き型である場合には、大径のディスクに関しては従来公知の爪状の部材等でディスクを保持することが可能である。しかしこの場合、小径のディスクは従来はトレイに載置することができず、利用することができなかった。
【００３１】
しかし、本発明では、トレイ１にディスクアダプタ10を係止するための固定部である係合穴1a, 1b, 1cが適宜の位置に設けられている。但し、これらの係合穴1a, 1b, 1cは小径のディスク用の凹部４よりはいずれも外側に位置している必要がある。
【００３２】
図２は上記のような係合穴1a, 1b, 1cを利用してディスクアダプタ10がトレイ１に装着され、再生及び／又は記録位置へ搬送された状態を示している。なお、図２においては、図２(a) 上で上下方向が実際の上下方向であり、トレイ１はその表面を実質的に垂直とした縦置きの状態であるとする。また、図２(b) は図２(a) のＡ−Ａ矢視方向の一部破断面図である。従って、図２(b) はトレイ１を下側から上側へ見上げた状態になっている。
【００３３】
ディスクアダプタ10は本第１の実施の形態では、非常に扁平な円筒形状の本体10a と、本体10a の外周部分の１点を基点として、この基点と本体10a の中心とを結ぶ直線と交差する両方向へ延出された係合腕10b とを主要な構成要素としている。なお、本第１の実施の形態では、係合腕10b は本体10a の中心を通る直線を対称軸として線対称に構成されている。
【００３４】
扁平な円筒形状である本体10a の内部は小径のディスク（具体的には、８cm径のディスク）を収納するための収納部として機能する。この収納部は小径のディスクの外径よりは若干大径に形成された円筒形状の内周面を有する。本体10a の一端側（以下、表面側という）の内周には複数の爪状の逸出防止用突起（図示例では、参照符号12a, 12b, 12c, 12dで示される４個が90度間隔で設けられている）が中心側へ向けて突設されている。これらの逸出防止用突起の突出端までの長さは本体10a 内に小径のディスク２が収納された場合に、小径のディスク２が本体10a の表面側から外部へ逸出しないように適宜に定められている。
【００３５】
なお、本体10a の厚み（円筒の長さ）は、上記の爪状の逸出防止用突起12a, 12b, 12c, 12dの厚みと小径のディスクの厚みとを合わせた寸法よりも若干大きい寸法にされている。
【００３６】
係合腕10b の裏面は両端部を除いて本体10a の他端側（以下、裏面側という）の面と面一に形成されている。係合腕10b の両端部は、本体10a の中心からの距離が大径のディスク（12cm径のディスク）の半径よりも若干大なる位置、具体的には大径（12cm径）のディスクを載置するための円形の凹部３の外側にまで延出されている。そして、係合腕10b の両端部には詳細は後述するが、トレイ１側に設けられた係合穴1b, 1cとそれぞれ係合するような形状に形成された係合爪11b, 11cが設けられている。
【００３７】
なお、本体10a の外周部の係合腕10b が延出されている基点の位置と対向する本体10a の位置(180度の位置）には、本体10a の裏面から外側へ、トレイ１側に設けられた係合穴1aと係合するような形状に形成された係合爪11a が突設されている。
【００３８】
図３は、図２のＢ−Ｂ矢視線による断面図であり、具体的にはディスクアダプタ10側の係合爪11b とトレイ１側の係合穴1bとの係合状態を示す模式的断面図である。但し、他の係合爪11a と係合穴1aとの係合状態、及び係合爪11c と係合穴1cとの係合状態も、図３に示す係合爪11b と係合穴1bとの係合状態と実質的に同様である。
【００３９】
係合爪11b は係合腕10b の端部の本体10a 側の部分（トレイ１に装着された場合に下側になる部分）が裏面側へほぼ直角に突出した後、本体10a 側方向（トレイ１に装着された場合に下側方向）へ再度ほぼ直角に突出したＺ字形状に形成されている。そして、係合腕10b の裏面と係合爪11b の先端部の表面との距離がトレイ１の厚みとほぼ同一にされている。また、最先端部分の裏面側の長さd1は係合穴1bの上下方向の長さd2よりも小に形成されている。
【００４０】
係合腕10b の他端部側の係合爪11c と、係合腕10b と対向する位置の係合爪11a も同様の形状、寸法に形成されている。また、ディスクアダプタ10側の各係合爪11a, 11b, 11c の相対的位置関係は、トレイ１側の各係合穴1a, 1b, 1cの相対的位置関係と同一になるように、それぞれの係合爪11a, 11b, 11c 及び係合穴1a, 1b, 1cの位置関係が定められている。更に、各係合穴1a, 1b, 1cのトレイ１の表面上での位置は、ディスクアダプタ10が装着された場合に、本体10a 内に収納されている小径ディスク２の中心が小径（８cm径）のディスクを載置するための円形の凹部４の中心とほぼ一致するように定められている。
【００４１】
従って、トレイ１が図２に示す状態を上下方向としてほぼ垂直な姿勢をとっている場合に、ディスクアダプタ10の本体10a 内に小径のディスク２が収納された状態で、ディスクアダプタ10をトレイ１に対して、各係合爪11a, 11b, 11c の最先端部をトレイ１側の各係合穴1a, 1b, 1cにそれぞれ嵌め込み、その後にディスクアダプタ10を下方へ押し下げるようにして移動させることにより、ディスクアダプタ10がトレイ１に装着される。
【００４２】
この場合、各係合爪11a, 11b, 11c はディスクアダプタ10の重力によって各係合穴1a, 1b, 1cに係合した状態で安定するので、トレイ１に対してディスクアダプタ10が確実に固定された状態で装着される。またこの場合、ディスクアダプタ10の本体10a 内に収納されているディスク２はディスクアダプタ10の表面側に設けられている爪状の逸出防止用突起12a, 12b, 12c, 12dによりディスクアダプタ10の本体10a の表面側からの逸出を防止されると共に、ディスクアダプタ10のり面側はトレイ１の表面に接しているのでディスクアダプタ10の本体10a の裏面側からの逸出も防止される。
【００４３】
そして、上述のようにしてディスクアダプタ10がトレイ10a に装着された後も、ディスク２がディスクアダプタ10の本体10a から逸出することなしに、トレイ１と共に再生及び／又は記録のための位置へ移動される。
【００４４】
図２(b) はトレイ１の移動によってディスク２が再生及び／又は記録位置へ移動された状態の一部破断側面図を示している。ディスク２はクランパ５とスピンドルモータ11とにより所定のディスクチャッキング位置（再生及び／又は記録位置）でクランプされる。前述した如く、ディスクアダプタ10の本体10a の内周はディスク２の外周よりも若干大きく形成されている。また、逸出防止用突起12a, 12b, 12c, 12dとディスク２の厚みとを合わせた寸法よりも本体10a の厚みの方が大きく形成されている。従って、ディスクアダプタ10の本体10a 内において、ディスク２はディスクアダプタ10の本体10a には接触することなしに、クランパ５とスピンドルモータ11とにより所定のディスクチャッキング位置でクランプされ、且つスピンドルモータ11により回転されることが可能である。
【００４５】
なお、ディスクアダプタ10をトレイ１から取り外す場合は、ディスクアダプタ10を上方へ若干持ち上げた後、トレイ１から離隔する方向（図２(a) では紙面の手前側の方向）へ引き出すようにする。この結果、各係合爪11a, 11b, 11c がトレイ１側の各係合穴1a, 1b, 1cからそれぞれ抜け出るので、ディスクアダプタ10はトレイ１から完全に取り外される。
【００４６】
次に本発明の第２の実施の形態について説明する。図４は本発明の第２の実施の形態のディスクアダプタの構成例を示すための模式図であり、図４(a) は模式的平面図を、図４(b) は図４(a) のＣ−Ｃ矢視方向の断面図である。
【００４７】
上述した第１の実施の形態では、ディスクアダプタ10そのものは内部に収納されたディスク２を表面側からのみ外部へ逸出しないように構成されており、ディスクアダプタ10がトレイ１に装着された場合にディスク２がディスクアダプタ10から完全に逸出しないように構成されている。しかし本第２の実施の形態では、ディスクアダプタ10のみにてディスク２を完全に内部に閉じ込めて、外部へ逸出しないように構成されている。
【００４８】
本第２の実施の形態では、ディスクアダプタ10は表面側の円筒形状の部材（以下、蓋部材10c という）と、裏面側の円筒形状の部材（以下、底部材10d という）とで構成されている。図４(b) の断面図に示す例では、蓋部材10c の円周状の底面の内周側が段差状に形成されており、この蓋部材10c の段差状の部分に底部材10d が嵌め込まれた状態で、ディスクアダプタ10が組み立てられている。なお、底部材10d の厚みは、蓋部材10c の段差状の部分に底部材10d が嵌め込まれた場合に、蓋部材10c の底面からは突出しない厚みに形成されている（勿論、ごく僅か突出したとしても支障はない）。
【００４９】
なお、蓋部材10c への底部材10d の嵌め込みは、いずれか一方、又は双方を軟質の合成樹脂で形成することにより、人手で容易に圧入可能に構成することが可能である。しかし、他の構成例として、たとえば蓋部材10c の段差部の内周面と底部材10d の外周面とに螺子を切ることにより両者を螺合により組み立てることも、簡単なスナップ機構によることも、あるいは他の種々の機構によることも可能である。
【００５０】
蓋部材10c の表面側の内周には、第１の実施の形態と同様の複数の爪状の逸出防止用突起12a, 12b, 12c, 12dが中心側へ向けて突設されている。また底部材10d の内周には、蓋部材10c と同様の複数の爪状の逸出防止用突起13a, 13b, 13c, 13dが中心側へ向けて突設されている。そして、蓋部材10c に底部材10d が取り付けられた場合に、蓋部材10c 側の各爪状の逸出防止用突起12a, 12b, 12c, 12dの裏面と、底部材10d 側の各爪状の逸出防止用突起13a, 13b, 13c, 13dの表面との間の間隔がディスク２の厚みよりも若干大になるように、底部材10d の蓋部材10c に対する取り付け位置が定められている。
【００５１】
なお、本第２の実施の形態では、底部材10d の適宜の３個所に係合爪11a, 11b, 11c が備えられている。各係合爪11a, 11b, 11c の形状そのものは第１の実施の形態の場合と実質的に同様である。
【００５２】
図５は本発明の第２の実施の形態のディスクアダプタ10が装着されるトレイ１の表面の構成例を示す模式的平面図である。本第２の実施の形態においても、トレイ１そのものの構成は前述した第１の実施の形態のディスクアダプタ10が装着されるトレイ１と同様である。両者の相違点は、ディスクアダプタ10側の係合爪11a, 11b, 11c の相対的位置関係に応じてそれぞれの係合穴1a, 1b, 1cの相対的位置関係が異なる点である。具体的には、本第２の実施の形態のトレイ１に設けられている係合穴1a, 1b, 1cは、第２の実施の形態のディスクアダプタ10側の係合爪11a, 11b, 11c の相対的位置関係と同一の相対的位置関係を有し、しかもディスクアダプタ10がトレイ１に装着された場合に、ディスクアダプタ10内に収納されているディスク２の中心がトレイ１に設けられている小径ディスク用の凹部４の中心とほぼ一致するような位置に設けられている。
【００５３】
但し、実際の設計に際しては、トレイ１側に係合穴1a, 1b, 1cを設けることが可能な位置、より具体的にはトレイ１の裏面にディスクアダプタ10の係合爪11a, 11b, 11c が突出したとしても、ディスクドライブ装置の動作に支障がないようなトレイ１の位置に係合穴1a, 1b, 1cを設け、これらの係合穴1a, 1b, 1cの位置に応じてディスクアダプタ10側の係合爪11a, 11b, 11c の位置を決定する。要するに、係合穴1a, 1b, 1cの位置は任意に決定することが可能であり、係合穴1a, 1b, 1cの位置に合わせてディスクアダプタ10の係合爪11a, 11b, 11c の位置を決定すればよい。
【００５４】
図６は本発明の第２の実施の形態のディスクアダプタ10をトレイ１に装着した状態を示す模式的平面図である。本第２の実施の形態のディスクアダプタ10においても、トレイ１への装着手順及び取り外し手順そのものは前述した第１の実施の形態の場合と同様であるので、それらの説明は省略する。
【００５５】
但し、本第２の実施の形態では、ディスクアダプタ10内に収納されたディスク２をディスクアダプタ10のみにて保持することが可能であるので、ディスクアダプタ10のトレイ１への装着及び取り外しの作業が容易になり、且つ迅速に行なえる。また、本第２の実施の形態のディスクアダプタ10はそれ自身のみにて内部に収納したディスク２を保持することができるので、たとえば多数のディスクアダプタ10に予め種々のディスク２を収納しておいて利用することが可能になる。
【００５６】
次に本発明の第３の実施の形態について説明する。図７は本発明の第３の実施の形態のディスクアダプタの構成例を示すための模式的平面図である。
【００５７】
本第３の実施の形態のディスクアダプタ10は、第１及び第２の実施の形態のディスクアダプタ10の係合爪11a, 11b, 11c とは異なる形状及び機能を有する係合爪を備えることに特徴がある。以下、具体的に説明する。
【００５８】
図７に示すように、本発明の第３の実施の形態のディスクアダプタ10の係合爪14a, 14b, 14c は外形が円筒形状のディスクアダプタ10の外周を３等分した位置に設けられている。各係合爪14a, 14b, 14c は、ディスクアダプタ10の外周に沿う方向に突出して形成されている。図８は本発明の第３の実施の形態のディスクアダプタ10が備える各係合爪14a, 14b, 14c の具体的な形状及び機能を示す模式図である。
【００５９】
本第３の実施の形態のディスクアダプタ10に備えられた係合爪14a, 14b, 14c は同一の形状に形成されており、またそれぞれの機能も同一である。図８(a) は各係合爪14a, 14b, 14c の模式的側面図である。各係合爪14a, 14b, 14c は側面視で全体としてはＺ字状に形成されている。具体的には、ディスクアダプタ10の底面よりも下方へ突出した部分は、ディスクアダプタ10の底面よりも下方へ突出した部分と、この部分の下端部からディスクアダプタ10の外周に沿う方向へ突出した舌状部15a, 15b, 15c とからなるＬ字状に形成されている。
【００６０】
そして、各係合爪14a, 14b, 14c の舌状部15a, 15b, 15c は、その上面（ディスクアダプタ10側の面）が先端側へ向かうほど、ディスクアダプタ10の底面から離隔するテーパ状に形成されている。また、舌状部15a, 15b, 15c の下面（ディスクアダプタ10の底面から遠い方の面）の長さ（ディスクアダプタ10の外周に沿う方向の長さ）はトレイ１側に設けられている係合穴1a, 1b, 1cの長さよりは短く形成されている。
【００６１】
従って、図８(a) に示す状態において、各係合爪14a, 14b, 14c の舌状部15a, 15b, 15c をトレイ１側の係合穴1a, 1b, 1cに嵌め込むと図８(b) に示す状態になる。そして、その後に各舌状部15a, 15b, 15c の突出方向（図７上では反時計方向、図８上では右方向）へディスクアダプタ10を各係合爪14a, 14b, 14c が各係合穴1a, 1b, 1cの端部に当接するまで回転させると、図８(c) に示すように、各舌状部15a, 15b, 15c のテーパ状の表面がトレイ１の裏面と接触するような状態になる。従って、図８(c) に示す状態においては、ディスクアダプタ10は各係合爪14a, 14b, 14c の舌状部15a, 15b, 15c とトレイ１の裏面との間の摩擦力でトレイ１に対して固定される。
【００６２】
なお、本第３の実施の形態のディスクアダプタ10をトレイ１から取り外す際は、装着時とは逆方向（図７上では時計方向、図８上では左方向）へディスクアダプタ10を回転させることにより、図８(c) に示す状態から図８(b) に示す状態になる。そして、ディスクアダプタ10をトレイ１から離隔する方向へ引き出すようにすれば、図８(a) に示すように、ディスクアダプタ10はトレイ１から取り外される。
【００６３】
図９は上述のような本発明の第３の実施の形態のディスクアダプタ10をトレイ１に装着した状態を示す模式的平面図である。本実施の形態３のトレイ１側の係合穴1a, 1b, 1cは上述したディスクアダプタ10の各係合爪14a, 14b, 14c に対応した位置に設けられている。具体的には、トレイ１側の各係合穴1a, 1b, 1cは、それぞれにディスクアダプタ10の係合爪14a, 14b, 14c が挿入されてディスクアダプタ10が図９上で反時計方向回りに回転された場合に、ディスクアダプタ10内に収納されている小径ディスク１の中心が小径ディスク用の凹部４の中心にほぼ一致するようなトレイ１上の位置に設けられている。
【００６４】
なお、本第３の実施の形態の各係合爪14a, 14b, 14c は、前述した第１及び第２の実施の形態のディスクアダプタ10にも適用可能であることはいうまでもない。
【００６５】
このような本第３の実施の形態のディスクアダプタ10の係合爪14a, 14b, 14c による場合は、ディスクアダプタ10をトレイ１の表面で反時計方向に回転させることによりトレイ１に固定されるので、前述した第１及び第２の実施の形態に比して、ディスクアダプタ10内に収納されたディスク２の中心が所定の位置、具体的には小径ディスク用の凹部４の中心位置に一致する精度が高くなる。また、本第３の実施の形態のディスクアダプタ10では、トレイ１にディスクアダプタ10をぶら下げる状態になる第１及び第２の実施の形態に比して、より緊密にディスクアダプタ10をトレイ１に固定することが可能になる。
【００６６】
次に本発明の第４の実施の形態について説明する。図１０は本発明の第４の実施の形態のディスクアダプタの構成例を示すための模式図であり、図１０(a) は模式的平面図を、図１０(b) は図１０(a) のＤ−Ｄ矢視方向の模式的断面図である。
【００６７】
前述した第２の実施の形態のディスクアダプタ10は、ディスクアダプタ10内へのディスク２の装着を、ディスクアダプタ10をトレイ１から取り外した状態で行なう必要があった。このため、多数の小径ディスクを連続して使用する場合、複数のディスクアダプタ10を予め用意しておいてそれぞれに異なる小径ディスク２を予め収納しておくか、または小径ディスク２を交換する必要が生じる都度、ディスクアダプタ10を一端トレイ１から取り外す必要がある。そこで、本第４の実施の形態では、ディスクアダプタ10をトレイ１に装着したままの状態で、ディスクアダプタ10内に収納されている小径ディスク２を交換可能な構成とした。以下、具体的に説明する。
【００６８】
本第４の実施の形態のディスクアダプタ10は、基本的には扁平な円筒形状の部材である本体10e により構成されている。この本体10e の表面側の内周には複数の爪状の逸出防止用突起12a, 12b, 12c, 12dが中心側へ向けて突設されていることは上述の各実施の形態と同様である。また、本体10e の底面側の内周には前述した第２の実施の形態の場合と同様に、複数の爪状の逸出防止用突起13a, 13b, 13c, 13dが中心側へ向けて突設されている。そして、各爪状の逸出防止用突起12a, 12b, 12c, 12dの裏面と各爪状の逸出防止用突起13a, 13b, 13c, 13dの表面との間の間隔がディスク２の厚みよりも若干大になるように、本体10e に対する複数の爪状の逸出防止用突起12a, 12b, 12c, 12d及び複数の爪状の逸出防止用突起13a, 13b, 13c, 13dの取り付け位置が定められている。
【００６９】
ところで、本第４の実施の形態では、ディスクアダプタ10の本体10e の表面側の一部が本体10e とは別部材として構成されており、本体10e の他の部分に対して分離可能に構成されている。以下、具体的に説明する。
【００７０】
図１０(a) に示すように、本第４の実施の形態のディスクアダプタ10の扁平な円筒形状の本体10e は、その表面側の少なくとも爪状の逸出防止用突起12a, 12b, 12c, 12dが設けられている厚みの部分の内の少なくとも 180度に相当する部分が開閉部10f として、本体10e とは分離した部材で構成されている。但し、本第４の実施の形態では、図４(a) に示されているように、開閉部10f の一端部において、回動機構16によって本体10e に対して回動自在に取り付けられている。
【００７１】
なお、本第４の実施の形態では、ディスク２を装入し、また取り出し易いように、ディスクアダプタ10が縦置き型のトレイ１に装着された場合になるべく上側でしかもトレイ１の移動方向の外側へ傾いた部分に開閉部10f を配置している。また、本第４の実施の形態では、開閉部10f を回動機構16によってディスクアダプタ10の本体10e に対して回動させる構成としているが、他にたとえば本体10e に対して完全に分離可能な開閉部10f をスナップ機構を利用した嵌め込み方式で脱着する構成等も採用することができる。更に、ディスクアダプタ10側の係合爪11a, 11b, 11c 及びトレイ１側の係合穴1a, 1b, 1cの位置関係を工夫すれば、開閉部10f を設けるのではなく、本体10e そのものを２分割する構成を採ることも可能である。
【００７２】
開閉部10f は上述したように回動機構16を回動中心として回動可能であるので、図１１に示すように開閉部10f が開放された状態では、小径ディスク２の本体10e への装入、取り出しが自由に行なえる状態になる。
【００７３】
なお、開閉部10f の先端部には鉤状に形成されたフック部17a が形成されている。この開閉部10f の先端部に形成されたフック部17a は、図１０に示されている閉鎖状態にされた場合に、本体10e の対応する部分に設けられた切り欠き部17b に係合するように構成されている。但し、閉鎖状態の開閉部10f を本体10e に固定する手段としては、他にも種々の機構を利用することが可能である。
【００７４】
以上のような本第４の実施の形態では、ディスクアダプタ10をトレイ１に装着したままの状態で小径ディスク２を交換することが可能になるので、小径ディスクを連続して使用する場合、あるいは通常は小径ディスクのみを使用する場合に非常に有効である。
【００７５】
なお、上述した本第４の実施の形態の開閉部10f を備える構成においても、前述した第 3の実施の形態のようなディスクアダプタ10をトレイ１の表面で回転させることによってトレイ１に装着する構成を適用することが可能である。
【００７６】
以上に詳述したように本発明によれば、縦置き型のディスクドライブ装置においては従来は使用不可能であった８cm径のディスク状記録媒体を使用することが可能になる。従って、デジタルビデオカメラ等の記録媒体として利用されている８cm径のディスク状記録媒体を縦置き型のディスクドライブ装置によってパーソナルコンピュータに読み込ませるというような従来は不可能であった利用方法が可能になる。
【図面の簡単な説明】
【００７７】
【図１】本発明のディスクアダプタが装着されていないディスクドライブ装置のトレイの表面の状態を示す模式的平面図である。
【図２】本発明に係るディスクアダプタが装着されたディスクドライブ装置のトレイが再生及び／又は記録位置へ搬送された状態を示す模式的平面図及び一部破断側面図である。
【図３】図２のＢ−Ｂ矢視線による断面図であり、具体的にはディスクアダプタ側の係合爪とトレイ側の係合穴との係合状態を示す模式的断面図である。
【図４】本発明の第２の実施の形態のディスクアダプタの構成例を示すための模式図である。
【図５】本発明の第２の実施の形態のディスクアダプタが装着されるトレイの表面の構成例を示す模式的平面図である。
【図６】本発明の第２の実施の形態のディスクアダプタをトレイに装着した状態を示す模式的平面図である。
【図７】本発明の第３の実施の形態のディスクアダプタの構成例を示すための模式的平面図である。
【図８】本発明の第３の実施の形態のディスクアダプタが備える各係合爪の具体的な形状及び機能を示す模式図である。
【図９】本発明の第３の実施の形態のディスクアダプタをトレイに装着した状態を示す模式的平面図である。
【図１０】本発明の第４の実施の形態のディスクアダプタの構成例を示すための模式図である。
【図１１】本発明の第４の実施の形態の開閉部が開放された状態を示す模式図である。
【符号の説明】
【００７８】
１  トレイ
1a, 1b, 1c  係合穴
２  小径（８cm径）のディスク
３  大径（12cm径）のディスクを載置するための凹部
４  小径（８cm径）のディスクを載置するための凹部
10  ディスクアダプタ
11a, 11b, 11c 係合爪
12a, 12b, 12c 逸出防止用突起
13a, 13b, 13c 逸出防止用突起
14a, 14b, 14c 係合爪
【図１】
2007280449.tif 000003
【図２】
2007280449.tif 000004
【図３】
2007280449.tif 000005
【図４】
2007280449.tif 000006
【図５】
2007280449.tif 000007
【図６】
2007280449.tif 000008
【図７】
2007280449.tif 000009
【図８】
2007280449.tif 000010
【図９】
2007280449.tif 000011
【図１０】
2007280449.tif 000012
【図１１】
2007280449.tif 000013